(57)【要約】【課題】簡単な加工により製造可能なフィルタ保持枠を提供すること。【解決手段】第一レール部材１０３は、その幅方向断面の形状を少なくとも１段の段部１０４を有する階段状に形成してあると共に、最下段平面１０５の幅方向端部を上方に折り曲げて折返し縁部１０６を形成してある。第二レール部材１３３は、その幅方向断面の形状を第一レール部材１０３の上面に沿う階段状に形成してあると共に、最上段平面１３４の幅方向端部を下方に折り曲げて折返し縁部１３５を形成してある。第一レール部材１０３と第二レール部材１３３は、第一レール部材１０３の折返し縁部１０６が、第二レール部材１３３の最下段平面１３６の幅方向端部を覆い、かつ、第二レール部材１３３の折返し縁部１３５が、第一レール部材１０３の最上段平面１０５の幅方向端部を覆う。【選択図】図１
2012063080.tif 000002
【特許請求の範囲】
【請求項１】
四辺が伸縮自在のレールからなる矩形のフィルタ保持枠であって、
該レールは、長手方向に摺動可能に嵌合した金属製の第一レール部材及び第二レール部材からなり、
該第一レール部材は、その幅方向断面の形状を少なくとも１段の段部を有する階段状に形成してあると共に、最下段平面の幅方向端部を上方に折り曲げて折返し縁部を形成してあり、
該第二レール部材は、その幅方向断面の形状を第一レール部材の上面に沿う階段状に形成してあると共に、最上段平面の幅方向端部を下方に折り曲げて折返し縁部を形成してあり、
該第一レール部材と第二レール部材は、第一レール部材の折返し縁部が、第二レール部材の最下段平面の幅方向端部を覆い、かつ、第二レール部材の折返し縁部が、第一レール部材の最上段平面の幅方向端部を覆うことにより、長手方向に摺動可能に嵌合してなることを特徴とするフィルタ保持枠。
【請求項２】
４個組み合わせることにより請求項１に記載のフィルタ保持枠を形成する枠部材であって、
前記第一レール部材と前記第二レール部材とを、各々の長手方向を直角に配設しＬ字状に形成してあることを特徴とする枠部材。
【請求項３】
前記第一レール部材及び第二レール部材の幅方向断面の形状を同一としてあることを特徴とする請求項２に記載の枠部材。
【発明の詳細な説明】
【技術分野】
【０００１】
この発明は、換気扇や換気口に取り付けられる枠体に関し、特に取換え可能なフィルタを保持する枠体に関する。
【背景技術】
【０００２】
従来、フィルタを取り換えやすくするために、換気扇への取付け、取外しが容易なフィルタ保持枠が広く使用されている。このようなフィルタ保持枠においては、換気扇の寸法に合わせて選択できるように、様々な寸法の枠体が用意されていることが知られている。
【０００３】
この場合、利用者は、予め換気扇の寸法を測定してからフィルタ保持枠を購入しなければならない。したがって、利用者は、換気扇の寸法の測定を誤ったり、寸法を間違って覚えていた場合、購入したフィルタ保持枠を換気扇に装着することができなくなる。また、フィルタ保持枠の製造業者は、すべての換気扇の寸法に一対一に対応する大きさの枠体を製造しなければならない。したがって、市場に流通している数量が極端に少ない寸法のフィルタ保持枠も製造しなければならないので、生産効率が悪くなる。
【０００４】
そこで、たとえば、枠体を構成する部材を摺動させることにより、換気扇の寸法に合わせて枠体の大きさを自在に変えることができる技術が提案された（たとえば、特開２００９−２８７８７８号公報参照）。しかしながら、上述した技術では、摺動が枠体の長さ方向に限られ、枠体の幅は一定であるため、枠体が対応可能な換気扇の寸法は限られてしまう。また、上記技術は、フィルタがアルミ製の枠体に張設された使い捨てのフィルタカバーに関するものであるため、リサイクル重視の消費者動向に合致しない。
【０００５】
上記の問題を解決するためのフィルタ保持枠として、たとえば、枠体を構成する部材が枠体の長さ方向だけでなく、幅方向にも摺動することができ、フィルタのみを取り換えることができる技術が提案されている（たとえば、下記特許文献１参照）。
【先行技術文献】
【特許文献】
【０００６】
【特許文献１】実開平０７−０３５９２９号公報
【発明の概要】
【発明が解決しようとする課題】
【０００７】
しかしながら、上述した特許文献１の従来技術では、枠体にフィルタの止め具やスライド部が一体的に成形されているため、枠体の構造が複雑になり、合成樹脂の射出成形等により成形する必要がある。このため、耐熱性が低く、たとえば、中華料理店など強い火力で調理する厨房の換気扇に使用されると枠体が溶けてしまうおそれがある。
【０００８】
本発明は、上述した従来技術による問題点を解消するため、簡単な構造により成形し易く、スムーズに摺動するレール構造を有するフィルタ保持枠を提供することを目的とする。
【課題を解決するための手段】
【０００９】
上述した課題を解決し、目的を達成するため、本発明は以下の構成を採用した。括弧内の参照符号は、本発明の理解を容易にするために実施形態との対応関係を示したものであって、本発明の範囲を何ら限定するものではない。
【００１０】
本発明にかかるフィルタ保持枠（１００）は、四辺が伸縮自在のレールからなる矩形のフィルタ保持枠であって、該レールは、長手方向に摺動可能に嵌合した金属製の第一レール部材（１０３）及び第二レール部材（１３３）からなり、該第一レール部材（１０３）は、その幅方向断面の形状を少なくとも１段の段部（１０４）を有する階段状に形成してあると共に、最下段平面（１０５）の幅方向端部を上方に折り曲げて折返し縁部（１０６）を形成してあり、該第二レール部材（１３３）は、その幅方向断面の形状を第一レール部材（１０３）の上面に沿う階段状に形成してあると共に、最上段平面（１３４）の幅方向端部を下方に折り曲げて折返し縁部（１３５）を形成してあり、該第一レール部材（１０３）と第二レール部材（１３３）は、第一レール部材の折返し縁部が、第二レール部材の最下段平面（１３６）の幅方向端部（２０１）を覆い、かつ、第二レール部材（１３３）の折返し縁部が（１３５）、第一レール部材の最上段平面（１０７）の幅方向端部（２０２）を覆うことにより、長手方向に摺動可能に嵌合してなることを特徴とする。
【００１１】
また、本発明にかかる枠部材（１０１,１１１,１２１,１３１）は、４個組み合わせることによりフィルタ保持枠（１００）を形成する枠部材であって、前記第一レール部材（１０３）と前記第二レール部材（１３３）とを、各々の長手方向を直角に配設しＬ字状に形成してあることを特徴とする。
【００１２】
また、本発明にかかる枠部材（１０１,１１１,１２１,１３１）は、前記第一レール部材（１０３）及び第二レール部材（１３３）の幅方向断面の形状を同一としてあることを特徴とする。
【発明の効果】
【００１３】
本発明は、フィルタ保持枠の四辺に金属製のレール部材を使用するようにした。これによって、合成樹脂製のレール部材に比べて破損を防止することができるため、レール部材の摺動が滑らかとなり、様々な寸法の換気扇等に合わせてフィルタ保持枠のサイズ変更をより簡単におこなうことができるという効果を奏する。また、フィルタ保持枠の耐熱性を上げることができるため、中華料理店など強い火力で調理する厨房の換気扇に採用しても熱による変形がし難く、安心して使用することができるという効果を奏する。さらに、ロールフォーミング加工やプレス加工により簡単にレール部材の成形加工をすることができるため、フィルタ保持枠の製造コストを安くすることができるという効果を奏する。
【図面の簡単な説明】
【００１４】
【図１】本発明の実施の形態にかかるフィルタ保持枠の一例を示す斜視図である。
【図２】本発明の実施の形態にかかるフィルタ保持枠のレール部材の断面図である。
【図３】本発明の実施の形態にかかるフィルタ保持枠を構成する枠部材を示す斜視図である。
【図４】本発明の実施の形態にかかるフィルタ保持枠のサイズを拡大した状態を示す斜視図である。
【図５】本発明の実施の形態にかかるフィルタ保持枠にフィルタを装着した状態を示す斜視図である。
【発明を実施するための形態】
【００１５】
以下に添付図面を参照して、本発明にかかるフィルタ保持枠の好適な実施の形態を詳細に説明する。
【００１６】
（フィルタ保持枠の基本構成）
まず、本実施の形態にかかるフィルタ保持枠の基本構成について説明する。図１は、本実施の形態にかかるフィルタ保持枠の一例を示す斜視図である。図１に示すように、フィルタ保持枠１００は、枠部材１０１,１１１,１２１,１３１と、フィルタ押さえ部材１０２ａ, １０２ｂ, １１２ａ,１１２ｂ, １２２ａ,１２２ｂ, １３２ａ,１３２ｂとを備えている。ここで、枠部材とは、フィルタ保持枠１００を形成する部材であって、本実施の形態においては、４個の枠部材１０１〜１３１を組み合わせることによりフィルタ保持枠１００を形成する。
【００１７】
枠部材１０１〜１３１は、それぞれ第一レール部材１０３と第二レール部材１３３とを有している。図１において、第一レール部材１０３及び第二レール部材１３３は、矩形のフィルタ保持枠１００の四辺を形成する。フィルタ保持枠１００の四辺は、伸縮自在のレール構造となっている。レールは、長手方向に摺動可能に嵌合した第一レール部材１０３及び第二レール部材１３３からなる。
【００１８】
第一レール部材１０３及び第二レール部材１３３の材質は、金属製であり、たとえば、ステンレス、アルミ、鉄、真鍮等により形成される。ステンレスであれば丈夫で防錆性があり、アルミであれば加工し易く軽量であるという特性がある。いずれの材質の場合であっても、第一レール部材１０３及び第二レール部材１３３は、薄い板状の金属であれば、安価なロールフォーミング加工やプレス加工により成形できるのでより好ましい。
【００１９】
フィルタ押さえ部材１０２ａ〜１３２ｂは、取替え可能なフィルタ（不図示）がフィルタ枠１００から外れないようにフィルタを表裏両面から挟むことにより、フィルタの移動を抑える。フィルタ押さえ部材１０２ａ〜１３２ｂの材質は、フィルタの移動を抑止し得る強度があればいかなるものでもよいが、たとえば、ステンレス、アルミ、鉄、真鍮等フィルタ保持枠１００と同材質により形成すればよい。この場合、フィルタ押さえ部材１０２ａ〜１３２ｂは、たとえば、溶接によって第一レール部材１０３あるいは第二レール部材１３３に固着される。
【００２０】
なお、フィルタ保持枠１００にフィルタ押さえ部材１０２ａ〜１３２ｂを備えない場合には、フィルタ押さえ部材１０２ａ〜１３２ｂの代わりに、クリップ（不図示）を用いてフィルタを挟み、フィルタの移動を抑えるようにしてもよい。
【００２１】
（レール構造）
次に、図２を用いて、フィルタ保持枠１００のレール構造について説明する。図２は、本実施の形態にかかるフィルタ保持枠のレール部材の断面図である。図２は、図１においてフィルタ保持枠１００のＡ−Ａ断面を矢印の方向から見た状態を示す断面図である。図２において、フィルタ保持枠の断面２００は、第一レール部材１０３と第二レール部材１３３とが長手方向に摺動可能に嵌合している状態を示している。
【００２２】
第一レール部材１０３は、その幅方向断面の形状を１段の段部１０４を有する階段状に形成してある。さらに、第一レール部材１０３は、最下段平面１０５の幅方向端部を上方に折り曲げて折返し縁部１０６を形成してある。第二レール部材１３３は、その幅方向断面の形状を第一レール部材１０３の上面に沿う階段状に形成してある。さらに、第二レール部材１３３は、最上段平面１３４の幅方向端部を下方に折り曲げて折返し縁部１３５を形成してある。
【００２３】
第一レール部材１０３及び第二レール部材１３３は、第一レール部材１０３の折返し縁部１０６が第二レール部材１３３の最下段平面１３６の幅方向端部２０１を覆い、かつ、第二レール部材１３３の折返し縁部１３５が第一レール部材１０３の最上段平面１０７の幅方向端部２０２を覆う。これにより、第一レール部材１０３及び第二レール部材１３３は、長手方向に摺動可能に嵌合してなり、幅方向に外れることがなくなる。
【００２４】
図２において、フィルタ保持枠１００の断面２００は、第一レール部材１０３及び第二レール部材１３３の幅方向の断面の形状を同一としてある。こうすることにより、レール部材を安価に製造することができる。かつ、枠部材１０１〜１３１の製造時に部品を取り違えるおそれがなく、不良品の発生を抑えることができる。    
【００２５】
なお、フィルタ保持枠の断面２００は、第一レール部材１０３及び第二レール部材１３３の幅方向の断面を異なる形状としてもよいことは勿論である。たとえば、第一レール部材１０３の最下段平面１０５の幅を最上段平面１０７の幅よりも広くしてもよい。また、第一レール部材１０３及び第二レール部材１３３は、段部１０４及び段部１３７を２段以上形成しておくことも可能である。
【００２６】
（枠部材の構成）
次に、図３を用いて、枠部材の構成について説明する。図３は、本実施の形態にかかるフィルタ保持枠を構成する枠部材を示す斜視図である。枠部材１０１は、第一レール部材１０３と、第二レール部材１３３と、フィルタ押さえ部材１０２ａ，１０２ｂと、枠角部材３０１とを備えている。図３において、第一レール部材１０３と第二レール部材１３３との形状は同一である。第一レール部材１０３及び第二レール部材１３３を同一の長さ、かつ、同一の断面形状、すなわち、同一の形状とすることにより、レール部材を安価に製造できる。
【００２７】
フィルタ押さえ部材１０２ａは、枠部材１０１の第二レール部材１３３の最上段平面１３４に溶接により固着されている。フィルタ押さえ部材１０２ｂは、枠部材１０１の第一レール部材１０３の最下段平面１０５の裏面に取り付けられている。枠部材１０１の表面に取り付けられたフィルタ押さえ部材１０２ａと、枠部材１０１の裏面に取り付けられたフィルタ押さえ部材１０２ｂとにより、図５に示すようにフィルタ５０１を表裏両面から挟み、フィルタ５０１の移動を抑え、フィルタ５０１がフィルタ保持枠１００から外れてしまうことを防止する。
【００２８】
枠角部材３０１は、第一レール部材１０３と第二レール部材１３３とを、各々の長手方向を直角に配設しＬ字状に形成して、第一レール部材１０３と第二レール部材１３３とを接続してある。枠角部材３０１は、第一レール部材１０３と第二レール部材１３３とが溶接により固着されているため、曲げ応力が集中する角部の強度を向上させる。枠角部材３０１の材質は、第一レール部材１０３及び第二レール部材１３３と同様、金属製であり、たとえば、ステンレス、アルミ、鉄、真鍮等により形成される。図３において、枠角部材３０１は、Ｌ字状直角部の内側方向に延設された薄板部分を有しており、この部分によりフィルタの角５０２（図５参照）を抑える。
【００２９】
なお、本実施の形態においては、枠部材１０１を構成する第一レール部材１０３及び第二レール部材１３３として断面形状が同一のものを採用しているが、たとえば、第一レール部材１０３及び第二レール部材１３３として断面形状が異なるものを採用してもよい。この場合であっても、フィルタ保持枠１００を形成する４個の枠部材１０１〜１３１をすべて同じ形状の枠部材とすることができる。
【００３０】
また、枠部材１０１は、２本の第一レール部材１０３あるいは第二レール部材１３３により上記Ｌ字状を形成してもよい。この場合、４個の枠部材１０１〜１３１は、２本の第一レール部材１０３により上記Ｌ字状を形成した枠部材と、２本の第二レール部材１３３により上記Ｌ字状を形成した枠部材とを、交互に隣り合わせた配置によって組み合わせてフィルタ保持枠１００を形成することになる。
【００３１】
また、第一レール部材１０３及び第二レール部材１３３の長さは、異なる長さであってもよい。これにより、フィルタ保持枠１００の対角線上に配置された枠部材を同じ形状の枠部材とすることができる。すなわち、枠部材１０１と枠部材１２１とを同じ形状にし、枠部材１１１と枠部材１３１とを同じ形状にすることができる。この場合、フィルタ保持枠１００は、レール部材の摺動可能な最大距離がフィルタ保持枠１００の上下方向、あるいは左右方向によって異なることになる。
【００３２】
（フィルタ保持枠のサイズ変更）
次に、図４を用いて、フィルタ保持枠のサイズ変更について説明する。図４は、本実施の形態にかかるフィルタ保持枠のサイズを拡大した状態を示す斜視図である。図４に示すフィルタ保持枠１００は、図１におけるフィルタ保持枠１００の四辺のレールを伸ばすことにより拡大した状態を表している。
【００３３】
フィルタ保持枠１００は、第一レール部材１０３及び第二レール部材１３３からなる四辺のレールが摺動し伸縮するレール構造を有する。これにより、利用者は、フィルタ保持枠１００の対角線上に配置された２個の枠部材１０１,１２１（あるいは枠部材１１１,１３１）を両手で持ちながら、少し力を加えて広げ、あるいは縮めることにより、フィルタ保持枠１００の上下左右４方向のサイズ変更をワンアクションにより可能にする。
【００３４】
フィルタ保持枠１００のサイズ調整が完了し、枠の寸法を固定する場合、利用者は、折返し縁部１０６,１３５の一部分をペンチ等により押潰（カシメ）する。これにより、第一レール部材１０３及び第二レール部材１３３は、押潰部により強く押圧され、摺動を停止することができる。したがって、利用者は、少なくとも、フィルタ保持枠１００の上下方向１箇所、左右方向１箇所の計２箇所の折返し縁部１０６,１３５を押潰するだけで、接着剤や固定ネジを使用することなく容易に枠の寸法を固定することができる。
【００３５】
（フィルタの装着方法）
次に、図５を用いて、フィルタ保持枠１００にフィルタを装着する方法について説明する。図５は、本実施の形態にかかるフィルタ保持枠にフィルタを装着した状態を示す斜視図である。本実施の形態のフィルタ保持枠１００は、枠部材１０１,１１１,１２１,１３１と、フィルタ押さえ部材１０２ａ，１１２ａ，１２２ａ，１３２ａと、フィルタ５０１とを備えている。フィルタ５０１の材質は、用途に応じて、不織布、金網、スチールウール等が採用される。フィルタ５０１は、所定の寸法にカットされたもの、あるいは、利用者がフィルタ保持枠１００のサイズに合わせてカットするもののどちらであってもよい。
【００３６】
フィルタ５０１は、第一レール部材１０３及び第二レール部材１３３の段部１０４及び１３７によって厚み方向のスペースが確保されるため、このスペースに取り付けられる。したがって、フィルタ５０１を取り付けた後を示す図５においては、枠部材１０１〜１３１の裏面に取り付けられたフィルタ押さえ部材１０２ｂ，１１２ｂ，１２２ｂ，１３２ｂは、フィルタ保持枠１００の表側から視認することができない。
【００３７】
フィルタ保持枠１００を換気扇あるいは換気口に取り付けるためには、換気扇等に予め設けられたフィルタ取付け溝に嵌めてもよく、あるいは、磁石または両面テープ等により取り付けることも可能である。これにより、フィルタ保持枠１００を簡単に取り付けることができる。
【００３８】
以上説明したように、本実施の形態では、フィルタ保持枠１００の四辺に金属製のレール部材を使用するようにした。これによって、ロールフォーミング加工やプレス加工により簡単にレール部材の成形加工をすることができるため、フィルタ保持枠１００の製造コストを安くすることができる。また、合成樹脂に比べて破損が起きにくいため、レール部材の摺動が滑らかとなり、フィルタ保持枠１００のサイズ変更をより簡単におこなうことができる。
【００３９】
また、本実施の形態では、金属製のレール部材を使用する。これによって、フィルタ保持枠１００の耐熱性を上げることができるため、強火を使用する中華料理店などのレンジフード用のフィルタ保持枠１００としても安心して使用することができる。また、フィルタ保持枠１００の強度を上げることができるため、破損を心配せずに長い期間使用することができる。さらに、薬品洗浄による枠部材１０１〜１３１の材質劣化や破損を心配せずに取り扱うことができる。
【００４０】
また、本実施の形態では、第一レール部材１０３及び第二レール部材１３３に延設された折返し縁部１０６,１３５のいずれか１箇所を押潰することにより、第一レール部材１０３と第二レール部材１３３との摺動が停止するようにした。これによって、フィルタ保持枠１００の寸法を簡単に固定することができる。したがって、取付け作業中にフィルタ保持枠１００のサイズが変動してしまうことがなくなるため、フィルタ保持枠１００を簡単に取り付けることができる。
【００４１】
また、本実施の形態では、フィルタ保持枠１００を構成する４個の枠部材１０１〜１３１が第一レール部材１０３及び第二レール部材１３３を直角Ｌ字状に配設するようにした。これによって、４個の枠部材１０１〜１３１を同一の形状とすることができるため、フィルタ保持枠１００の生産効率を向上させることができる。
【００４２】
また、本実施の形態では、第一レール部材１０３及び第二レール部材１３３の幅方向の断面の形状を同一とするようにした。これによって、第一レール部材１０３及び第二レール部材１３３を同一の形状とすることができる。したがって、４個の枠部材１０１〜１３１を構成するすべての部材を同一の形状とすることができるため、フィルタ保持枠１００の生産効率をさらに向上させることができる。
【符号の説明】
【００４３】
１００  フィルタ保持枠
１０１,１１１,１２１,１３１  枠部材
１０２ａ, １０２ｂ, １１２ａ,１１２ｂ, １２２ａ,１２２ｂ, １３２ａ,１３２ｂ  フィルタ押さえ部材
１０３  第一レール部材
１０４,１３７  段差
１０５,１３６  最下段平面
１０６,１３５  折返し縁部
１０７,１３４  最上段平面
１３３  第二レール部材
【図１】
2012063080.tif 000003
【図２】
2012063080.tif 000004
【図３】
2012063080.tif 000005
【図４】
2012063080.tif 000006
【図５】
2012063080.tif 000007